(57)【特許請求の範囲】
【請求項１】
浴槽と、
温水が貯溜され熱交換器が設けられる貯湯タンクと、
前記貯湯タンクにおける前記熱交換器の近くの温水の温度を測る第１の温度センサと、
前記熱交換器を用いる追い焚きに際して前記浴槽内の水または湯を取り出すポンプと、
前記ポンプの回転速度を測る速度センサと、
前記浴槽に接続され前記ポンプが設けられる第１の配管と、
前記熱交換器に接続される第２の配管と、
前記貯湯タンクでの追い焚き後の湯を前記浴槽に供給する第３の配管と、
前記第３の配管に接続されるバイパス配管と、
前記第１の配管を、前記第２の配管と前記バイパス配管とにそれぞれ第１開度と第２開度をもって連通させる循環調整弁と、
前記ポンプ、前記循環調整弁を制御するとともに、前記ポンプの回転速度の情報、前記第１の温度センサで検出した温度情報が入力される制御部とを備え、
前記制御部は、
前記回転速度の情報と前記温度情報を基に、前記第３の配管から浴槽に供給する湯が所定値以下の温度になるように、前記第１開度と前記第２開度とを制御する
ことを特徴とする貯湯式給湯機。
【請求項２】
請求項１に記載の貯湯式給湯機において、
前記制御部は、
前記ポンプの回転速度が第１の所定回転速度より高い場合には、前記循環調整弁を前記第１開度より第２開度を大きく制御し、
前記ポンプの回転速度が第１の所定回転速度より低い場合には、前記循環調整弁を前記第２開度より第１開度を大きく制御する
ことを特徴とする貯湯式給湯機。
【請求項３】
請求項１に記載の貯湯式給湯機において、
前記温水の温度が第１の所定温度より低い場合、
前記制御部は、
前記循環調整弁を前記第２開度より第１開度を大きく制御する
ことを特徴とする貯湯式給湯機。
【請求項４】
請求項１に記載の貯湯式給湯機において、
前記制御部は、
予め、前記温水の温度に応じた前記浴槽の湯の温度と前記追い焚き後の湯の温度との関係の情報を有し、
実際の前記温水の温度と前記浴槽の湯の温度とから、追い焚きの熱量を推測する
ことを特徴とする貯湯式給湯機。
【請求項５】
請求項１に記載の貯湯式給湯機において、
前記ポンプを駆動するモータは、ＤＣモータである
ことを特徴とする貯湯式給湯機。
【請求項６】
浴槽と、
温水が貯溜され熱交換器が設けられる貯湯タンクと、
前記貯湯タンクにおける前記熱交換器の近くの温水の温度を測る第１の温度センサと、
前記熱交換器を用いる追い焚きに際して前記浴槽内の水または湯を取り出すポンプと、
前記ポンプの回転速度を測る速度センサと、
前記浴槽に接続され前記ポンプが設けられる第１の配管と、
前記熱交換器に接続される第２の配管と、
前記貯湯タンクでの追い焚き後の湯を前記浴槽に供給する第３の配管と、
前記第３の配管に接続されるバイパス配管と、
前記第１の配管を、前記第２の配管と前記バイパス配管とにそれぞれ第１開度と第２開度をもって連通させる循環調整弁と、
前記ポンプ、前記循環調整弁を制御するとともに、前記ポンプの回転速度の情報、前記第１の温度センサで検出した温度情報が入力される制御部とを備え、
前記第３の配管の湯温を測定する温度センサが設けられることなく、
前記制御部は、
前記第３の配管から浴槽に供給する湯の温度を所定温度以下にするために、予め設定される前記回転速度の情報と前記温度情報とが格納されている
ことを特徴とする貯湯式給湯機。
【請求項７】
浴槽と、
温水が貯溜され熱交換器が設けられる貯湯タンクと、
前記貯湯タンクにおける前記熱交換器の近くの温水の温度を測る第１の温度センサと、
前記熱交換器を用いる追い焚きに際して前記浴槽内の水または湯を取り出すポンプと、
前記浴槽に接続され前記ポンプが設けられる第１の配管と、
前記第１の配管を流れる水または湯の流量を検出する流量センサと、
前記熱交換器に接続される第２の配管と、
前記貯湯タンクでの追い焚き後の湯を前記浴槽に供給する第３の配管と、
前記第３の配管に接続されるバイパス配管と、
前記第１の配管を、前記第２の配管と前記バイパス配管とにそれぞれ第１開度と第２開度をもって連通させる循環調整弁と、
前記循環調整弁を制御するとともに、前記第１の温度センサで検出した温度情報と前記流量センサで検出した流量の情報が入力される制御部とを備え、
前記制御部は、
前記流量の情報と前記温度情報を基に、前記第３の配管から浴槽に供給する湯が所定値以下の温度になるように、前記第１開度と前記第２開度とを制御する
ことを特徴とする貯湯式給湯機。
【発明の詳細な説明】
【技術分野】
【０００１】
本発明は、貯湯式給湯機に関する。
【背景技術】
【０００２】
図１０は、従来の貯湯式給湯機を示す概要図である。
従来、貯湯式給湯機Ｋ１０において、浴槽１０３内のお湯を追い焚きする回路は図１０に示すように構成されている。
貯湯式給湯機Ｋ１０は、貯湯タンク１０１と、浴槽１０３と、貯湯タンク１０１と浴槽１０３とを接続する配管ｈｋとを備えている。なお、図１０では、追い焚き回路のみを示し、他の回路は省略している。
【０００３】
貯湯タンク１０１内には、貯湯タンク１０１内に貯留する高温水で加熱するための熱交換器１０２が設けられている。
浴槽１０３には、追い焚きするためのお湯を出湯させるふろ戻し管ｈｋ１と、追い焚きして加熱されたお湯を戻すふろ往き管ｈｋ９とが接続されている。
【０００４】
ふろ戻し管ｈｋ１には、浴槽１０３内の水温を測るふろ温度センサｓ１１と、追い焚きに際して浴槽１０３の湯を汲む循環ポンプｐ１０とが設けられている。ふろ戻し管ｈｋ１は、循環調整弁１０４を介して、熱交換器１０２の入側１０２ｉに接続される追い焚き配管ｈｋ２と、ふろ往き管ｈｋ９とに接続されるバイパス管ｈｋ３とに分流されている。
【０００５】
ふろ往き管ｈｋ９は、追い焚き後の湯が出る熱交換器１０２の出側１０２ｏに接続される、追い焚き湯配管ｈｋ４に接続されている。追い焚き湯配管ｈｋ４には、追い焚き後のお湯の温度を測定する追い焚き温度センサｓ１２が設けられている。
【０００６】
追い焚きに際しては、循環ポンプｐ１０により、浴槽１０３からふろ戻し管ｈｋ１を介して浴槽１０３内の湯が汲み出され、循環調整弁１０４、追い焚き配管ｈｋ２を介して、熱交換器１０２に送られる。熱交換器１０２で追い焚きされた湯は、追い焚き湯配管ｈｋ４、ふろ往き管ｈｋ９を介して、浴槽１０３に戻される。
本願に係る文献公知発明として、特許文献１、２がある。
【先行技術文献】
【特許文献】
【０００７】
【特許文献１】特開２００８−１２１９７８号公報
【特許文献２】特開２００８−１４５１５号公報
【発明の概要】
【発明が解決しようとする課題】
【０００８】
ところで、上述の追い焚きにおいて、追い焚き湯配管ｈｋ４、ふろ往き管ｈｋ９を介して追い焚きされ浴槽１０３に戻されるお湯は、所定の温度以下になるように、追い焚き温度センサｓ１２によって、追い焚き湯配管ｈｋ４を流れる温水の温度を測定している。
そして、追い焚き湯配管ｈｋ４を流れる温水の温度が所定の温度より以下の場合には、循環調整弁１０４を、熱交換器１０２に接続される追い焚き配管ｈｋ２への開度を浴槽１０３に向かうふろ往き管ｈｋ９の開度よりも大きく制御する。
【０００９】
一方、追い焚き湯配管ｈｋ４を流れる温水の温度が所定の温度より以下の場合には、循環調整弁１０４を、浴槽１０３に向かうふろ往き管ｈｋ９の開度を熱交換器１０２に接続される追い焚き配管ｈｋ２への開度よりも大きく制御している。
そのため、従来、追い焚き温度センサｓ１２は追い焚き機能を有する給湯機には不可欠な構成要素となっている。そのため、追い焚き温度センサｓ１２を設置する分、コスト増の一因となっていた。
【００１０】
本発明は上記実状に鑑み創案されたものであり、追い焚き温度センサを用いることなく追い焚き機能を実現できる貯湯式給湯機の提供を目的とする。
【課題を解決するための手段】
【００１１】
前記課題を解決するため、第１の本発明の貯湯式給湯機は、浴槽と、温水が貯溜され熱交換器が設けられる貯湯タンクと、前記貯湯タンクにおける前記熱交換器の近くの温水の温度を測る第１の温度センサと、前記熱交換器を用いる追い焚きに際して前記浴槽内の水または湯を取り出すポンプと、前記ポンプの回転速度を測る速度センサと、前記浴槽に接続され前記ポンプが設けられる第１の配管と、前記熱交換器に接続される第２の配管と、前記貯湯タンクでの追い焚き後の湯を前記浴槽に供給する第３の配管と、前記第３の配管に接続されるバイパス配管と、前記第１の配管を、前記第２の配管と前記バイパス配管とにそれぞれ第１開度と第２開度をもって連通させる循環調整弁と、前記ポンプ、前記循環調整弁を制御するとともに、前記ポンプの回転速度の情報、前記第１の温度センサで検出した温度情報が入力される制御部とを備え、前記制御部は、前記回転速度の情報と前記温度情報を基に、前記第３の配管から浴槽に供給する湯が所定値以下の温度になるように、前記第１開度と前記第２開度とを制御している。
【００１２】
第２の本発明の貯湯式給湯機は、浴槽と、温水が貯溜され熱交換器が設けられる貯湯タンクと、前記貯湯タンクにおける前記熱交換器の近くの温水の温度を測る第１の温度センサと、前記熱交換器を用いる追い焚きに際して前記浴槽内の水または湯を取り出すポンプと、前記浴槽に接続され前記ポンプが設けられる第１の配管と、前記第１の配管を流れる水または湯の流量を検出する流量センサと、  前記熱交換器に接続される第２の配管と、前記貯湯タンクでの追い焚き後の湯を前記浴槽に供給する第３の配管と、前記第３の配管に接続されるバイパス配管と、前記第１の配管を、前記第２の配管と前記バイパス配管とにそれぞれ第１開度と第２開度をもって連通させる循環調整弁と、前記循環調整弁を制御するとともに、前記第１の温度センサで検出した温度情報と前記流量センサで検出した流量の情報が入力される制御部とを備え、前記制御部は、前記流量の情報と前記温度情報を基に、前記第３の配管から浴槽に供給する湯が所定値以下の温度になるように、前記第１開度と前記第２開度とを制御している。
【発明の効果】
【００１３】
本発明によれば、追い焚き温度センサを用いることなく追い焚き機能を実現できる貯湯式給湯機を実現できる。
【図面の簡単な説明】
【００１４】
【図１】本発明の実施形態に係る貯湯式給湯機を示す概要図。
【図２】Duty１００％のＤＣブラッシレスモータの回転速度とふろ戻し管の流量との関係を示すグラフ。
【図３】Duty７３％のＤＣブラッシレスモータの回転速度とふろ戻し管の流量との関係を示すグラフ。
【図４】追い焚き温度センサ無しに追い焚きを行う制御のフローチャート。
【図５】追い焚き温度センサを用いない追い焚き制御の実証結果を示すグラフ。
【図６】貯湯タンクの温水の温度が８５℃、７５℃、６５℃、５５℃のとき、ふろの温度に対する追い焚き温度を測定した結果のグラフ。
【図７】貯湯タンク１の温水の各温度と切片ｙ０（＝ｆ（貯湯タンク１の温度））の関係を示すグラフ。
【図８】比較例の追い焚き温度センサがある場合の追い焚き運転時の各部の温度と循環調整弁の弁開度を示す図。
【図９】変形例の追い焚き温度センサに代替して流量センサを設けた場合の追い焚きを行う制御フロー。
【図１０】従来の貯湯式給湯機を示す概要図。
【発明を実施するための形態】
【００１５】
以下、本発明の実施形態について、適宜図面を参照しながら詳細に説明する。
本発明の貯湯式給湯機は、追い焚き温度センサを使用せずに追い焚き機能を実現する。
また、貯湯式給湯機は追い焚き熱量を算出する機能を有する。
図１は、本発明の実施形態に係る貯湯式給湯機を示す概要図である。
【００１６】
実施形態１の貯湯式給湯機Ｋは、貯湯タンク１と、浴槽３と、貯湯タンク１と浴槽３とを接続する配管ｋとを備えている。なお、図１では、追い焚き回路のみを示し、他の湯張り回路、給湯回路等は省略している。
貯湯タンク１には、ヒートポンプ等で温水が供給され貯溜されている。貯湯タンク１には、内部の温水の温度を測る温度センサが鉛直方向に複数設けられている。例えば、貯湯タンク１が８０リットルの容積をもつ場合には、貯湯タンク１の最頂部の８０リットルの温水の温度を測る第１温度センサ１ｓ１、貯湯タンク１内の７５リットルの温水の温度を測る第２温度センサ１ｓ２等が設けられる。
【００１７】
貯湯タンク１内の上部には熱交換器２が設けられている。熱交換器２は、内部を流れる湯または水を貯湯タンク１の上部の高温水で加熱する。
浴槽３には、追い焚きのためにお湯を取り出すふろ戻し管ｋ１と、追い焚きした湯を浴槽３に供給するふろ往き管ｋ９とが接続されている。ふろ戻し管ｋ１は浴槽３の出口３ｏに接続され、ふろ往き管ｋ９は浴槽３の入り口３ｉに接続される。
【００１８】
ふろ戻し管ｋ１には、浴槽３内の湯温を測るふろ温度センサｓ１と、追い焚きに際して浴槽３の湯を吸い出す循環ポンプｐ１とが設けられている。ふろ戻し管ｋ１は、循環調整弁４を介して、熱交換器２の入側２ｉに接続される追い焚き配管ｋ２と、ふろ往き管ｋ９に接続されるバイパス管ｋ３とに分流されている。
ふろ往き管ｋ９は、熱交換器２の出側２ｏに接続される追い焚き湯管ｋ４に接続されている。追い焚き湯管ｋ４には、従来と異なり、追い焚きした湯の温度を測定する追い焚き温度センサは設けられない。
【００１９】
＜制御部＞
貯湯式給湯機Ｋは、コントローラの制御部（図示せず）を備え、制御部により制御される。
制御部は、マイクロコンピュータ、周辺回路等で構成される。周辺回路は、Ａ／Ｄ・Ｄ／Ａ変換器、循環ポンプｐ１を駆動制御する循環ポンプ駆動回路、ふろ温度センサｓ１、第１温度センサ１ｓ１、第２温度センサ１ｓ２等のためのセンサ回路等を有している。
【００２０】
循環ポンプｐ１は、ＤＣブラッシレスモータが使用される。循環ポンプｐ１は、循環ポンプ駆動回路によりPWM  Duty制御が行われ、貯湯式給湯機Ｋ１に応じた最大流量を満たす速度指令電圧で回転速度制御が行われる。ＤＣブラッシレスモータの回転速度は、モータに設けられる速度センサ（図示せず）、制御信号等から検出できる。
【００２１】
＜追い焚きモード＞
追い焚きに際しては、浴槽３から循環ポンプｐ１によりふろ戻し管ｋ１を介して浴槽３内の湯または水が汲み出され、循環調整弁４、追い焚き配管ｋ２を介して、熱交換器２に送られる。熱交換器２内を流れる湯または水は、貯湯タンク１の上部に滞留する高温水と熱交換され追い焚きされる。
【００２２】
熱交換器２で追い焚きされた湯は、追い焚き湯管ｋ４、ふろ往き管ｋ９を通って、浴槽３に戻される。
ここで、ふろ往き管ｈｋ９を通して浴槽３に戻される湯は、安全のために所定温度の６０℃以下になるように制御される。なお、６０℃以下は一例であり、他の温度に設定してもよい。
具体的には、追い焚きに際して、循環ポンプｐ１で浴槽３から汲みだされる湯はふろ戻し管ｋ１を通して、循環調整弁４に送られる。循環調整弁４に送られた湯は、循環調整弁４を介して、熱交換器２に向かう追い焚き配管ｋ２と、浴槽３に向かうバイパス管ｋ３とに分流される。
【００２３】
追い焚きされふろ往き管ｋ９を通して浴槽３に供給される湯が、所定温度６０℃以下である場合には、循環調整弁４で熱交換器２に向かう追い焚き配管ｋ２側への開度（第１開度）を浴槽３に向かうバイパス管ｋ３側への開度（第２開度）より大きくし、追い焚きを促進する。
【００２４】
一方、追い焚きされふろ往き管ｋ９を通して浴槽３に供給される湯が、所定温度６０℃を超える場合には、循環調整弁４で浴槽３に向かうバイパス管ｋ３側への開度（第２開度）を熱交換器２に向かう追い焚き配管ｋ２側への開度（第１開度）より大きくし、追い焚きされた湯の温度を下げる制御が行われる。
【００２５】
＜追い焚き温度センサを代替する機能＞
追い焚き温度センサを無くすには、ふろ往き管ｋ９を通して浴槽３に往く追い焚きされた湯の温度に影響する条件を見出す必要がある。
追い焚きされた湯の温度に影響する条件として、貯湯タンク１に貯留される熱交換器２近くの高温水の温度と、浴槽３内の湯温と、循環ポンプｐ１によって浴槽３からふろ戻し管ｋ１を介して浴槽３から汲み出される流量とが挙げられる。
【００２６】
熱交換器２近くの高温水の温度は、熱交換器２での加熱量を左右する。
浴槽３内の湯温は、追い焚きされる元湯の温度である。
流量は、熱交換器２で加熱される熱容量に関係する。流量が多ければ、熱交換器の加熱による温度上昇は少ない。流量が少なければ、熱交換器の加熱による温度上昇は大きい。
【００２７】
貯湯タンク１内の熱交換器２近くの高温水の温度は、貯湯タンク１に設置される第１温度センサ１ｓ１、第２温度センサ１ｓ２で検知される。
浴槽３内の湯温は、ふろ温度センサｓ１で検知される。ここで、湯温は、４８℃を超えることはほぼない。
【００２８】
循環ポンプｐ１により浴槽３から汲みだされる流量は以下のようにして求められる。
図２に、Duty１００％のＤＣブラッシレスモータの回転速度とふろ戻し管の流量との関係のグラフを示す。図３に、Duty７３％のＤＣブラッシレスモータの回転速度とふろ戻し管の流量との関係のグラフを示す。図２、図３において、横軸は時間（秒）を示し、左縦軸は流量（リットル／分）を示し、右縦軸は循環ポンプｐ１の回転速度（ｒｐｍ）を示す。
図２、図３の実験は実験者が意図的に流量調整弁を用いて循環ポンプｐ１の吸込み側の流量を変えて負荷を与えて行ったものである。つまり、図２、図３は循環ポンプｐ１の負荷である流量を流量調整弁を用いて意図的に変えて、循環ポンプｐ１を駆動するＤＣブラッシレスモータ（以下、単にモータという）の回転速度を測定したグラフである。
図２のDutyは１００％であり、図３のDutyは７３％であり、Dutyは一定とする。
制御側からは、モータの回転速度は変えていない。つまり、負荷の流量が同じであれば、モータは同じ回転速度で回り続ける。負荷の流量が一定であれば、負荷の流量に応じて、モータは同じ回転速度で回転する。
図２、図３に示すように、経過時間０〜約４５０ｓｅｃにおいて時間が経過するに従いモータの回転速度が増加したのは負荷の流量が時間が経過するに従い、減少したためである。また、経過時間約４５０〜約１０００ｓｅｃにおいて時間が経過するに従いモータの回転速度が減少したのは負荷のふろ流量が時間が経過するに従い、増加したためである。
以上より、循環ポンプｐ１のモータの回転速度が高くなるとふろ戻し管ｋ１の流量が低くなり、モータの回転速度が低くなるとふろ戻し管ｋ１の流量が高くなることが分る。つまり、循環ポンプｐ１の回転速度と負荷の流量は相反する関係もつ。
【００２９】
そこで、制御部には、予め図２、図３等の循環ポンプｐ１の回転速度とふろ戻り管ｋ１の流量との関係の情報が格納される。制御部は、当該関係の情報を基に、実際の循環ポンプｐ１の回転速度からふろ戻り管ｋ１の流量を推測できる。
【００３０】
表１は、６０℃を超える追い焚き湯が出ない貯湯タンク１の熱交換器２近くの温水の温度と、循環ポンプｐ１の回転速度およびふろ戻し管ｋ１の流量とに対する循環調整弁４の熱交換器２に向かう追い焚き配管ｋ２側への開度（第１開度）開度（％）を示す。
【表１】
0006454655.tif 000002
【００３１】
表１のタンク温度とは、貯湯タンク１の熱交換器２近くの温水量８０リットルの温水を第１温度センサ１ｓ１で測定した温度と、温水量７５リットルの温水を第２温度センサ１ｓ２で測定した温度との平均温度をとっている。
表１のふろ戻し管ｋ１の流量は、図３を用いて循環ポンプｐ１の回転速度から求めた。
表１は、ふろ戻し管ｋ１の湯の温度であるふろ戻り温度が４５℃〜４６℃のとき、浴槽３のアダプタ出口（浴槽３の出口３ｏ）から６０℃を超える温度の追い焚き湯が出ないような循環調整弁４の開度を示す。つまり、表１の開度で循環調整弁４を制御すれば、追い焚き湯は６０℃を超えない。
【００３２】
表１から以下のことが判明した。
貯湯タンク１の温水の温度が約７０度以下では、循環調整弁４を、熱交換器２に向かう追い焚き配管ｋ２側への開度（第１開度）を１００％にしても追い焚き湯が所定温度６０℃以下に保持できる。
ふろ戻し管ｋ１の流量が７リットル／分で流量が大きい場合、熱交換器２に向かう追い焚き配管ｋ２側への開度を１００％にしても追い焚き湯が所定温度６０℃以下に保持できる。
従って、貯湯タンク１の温水の温度が低い場合またはふろ戻し管ｋ１の流量が大きい場合は、循環調整弁４の熱交換器２に向かう開度（第１開度）は１００％でもよい。
【００３３】
その他、貯湯タンク１の温水の温度帯別に見ると、
貯湯タンク１の温水の温度が７０℃〜７５℃の場合、流量３リットル／分以下（循環ポンプｐ１の回転速度６０００ｒｐｍ以上）で循環調整弁４の熱交換器２に向かう開度７０％、流量３〜５リットル／分以下（循環ポンプｐ１の回転速度５８００ｒｐｍ〜６０００ｒｐｍ）で循環調整弁４の熱交換器２に向かう開度８５％、流量５リットル／分以上（循環ポンプｐ１の回転速度５８００ｒｐｍ以下）で循環調整弁４の熱交換器２に向かう開度１００％であった。
【００３４】
貯湯タンク１の温水の温度が７５℃〜８０℃の場合、流量５リットル／分以下（循環ポンプｐ１の回転速度５８００ｒｐｍ以上）で循環調整弁４の熱交換器２に向かう開度７０％、流量５〜６リットル／分以下（循環ポンプｐ１の回転速度５７００ｒｐｍ〜５８００ｒｐｍ）で循環調整弁４の熱交換器２に向かう開度８５％、流量７リットル／分以上（循環ポンプｐ１の回転速度５７００ｒｐｍ以下）で循環調整弁４の熱交換器２に向かう開度１００％であった。
【００３５】
貯湯タンク１の温水の温度が８０℃〜９０℃の場合、流量６リットル／分以下（循環ポンプｐ１の回転速度５７００ｒｐｍ以上）で循環調整弁４の熱交換器２に向かう開度７０％、流量６〜７リットル／分以下（循環ポンプｐ１の回転速度５６００ｒｐｍ〜５７００ｒｐｍ）で循環調整弁４の熱交換器２に向かう開度８５％、流量７リットル／分以上（循環ポンプｐ１の回転速度５６００ｒｐｍ以下）で循環調整弁４の熱交換器２に向かう開度１００％であった。
【００３６】
以上の結果から、貯湯タンク１の温水の温度が高い場合には、循環調整弁４は熱交換器２に向かう開度を小さくする。一方、貯湯タンク１の温水の温度が低い場合には、循環調整弁４は熱交換器２に向かう開度を大きくする。
流量が大きい（循環ポンプｐ１の回転速度が低い）場合、循環調整弁４は熱交換器２に向かう開度を大きくする。一方、流量少ない（循環ポンプｐ１の回転速度が高い）場合、循環調整弁４は熱交換器２に向かう開度を小さくする。
【００３７】
貯湯タンク１の温水の温度が低い場合、循環調整弁４は熱交換器２に向かう開度は１００％でよい。また、流量が大きい場合、循環調整弁４は熱交換器２に向かう開度は１００％でよい。
以上の結果から、追い焚き温度センサ無しに、貯湯タンク１の温水の温度と、循環調整弁４の熱交換器２に向かう追い焚き配管ｋ２側への開度（第１開度）と浴槽３に向かうバイパス管ｋ３側への開度（第２開度）とを用いて、追い焚き湯の湯温が所定温度の６０℃以下に保持できる追い焚きモードが行える。
具体的には、表１の情報は、制御部のＲＯＭ等の記憶部に予め記憶される。制御部は、表１の情報を用いて、実際の貯湯タンク１の熱交換器２近くの温水の温度と、循環ポンプｐ１の回転速度を検出することで、ふろ往き管ｋ９を通して浴槽３に供給される追い焚き湯の温度を所定温度以下に制御できる。
【００３８】
＜追い焚き温度センサ無しに追い焚きを行う制御＞
次に、追い焚き温度センサ無しに追い焚きを行う制御の一例について図４を用いて説明する。図４に、追い焚き温度センサ無しに追い焚きを行う制御フローを示す。
追い焚きを行う制御は、前記の制御部によって実行される。
【００３９】
図４のステップＳ１で、貯湯タンク１の温水の温度が指定温度（第１の所定温度）以上か否か判定する。指定温度の情報は、制御部のＲＯＭに予め記憶されている。
貯湯タンク１の温水の温度が指定温度未満の場合（ステップＳ１でＮｏ）貯湯タンク１の温水の温度が低いので、ステップＳ５に移行する。例えば、表１より、指定温度の湯温が７０℃以下の場合、循環調整弁４は熱交換器２に向かう開度を１００％でよいのでステップＳ５に移行する。
【００４０】
一方、貯湯タンク１の温水の温度が指定温度以上の場合（ステップＳ１でＹｅｓ）貯湯タンク１の温水の温度が高いので、ステップＳ２で、循環ポンプｐ１の回転速度が指定回転速度以上か否か判定する。ステップＳ２、Ｓ４の指定回転速度の情報は、制御部のＲＯＭに予め記憶されている。
【００４１】
循環ポンプｐ１の回転速度が指定回転速度未満の場合（ステップＳ２でＮｏ）循環ポンプｐ１の回転速度が低い、すなわち流量が多いので、ステップＳ５に移行する。例えば、表１より、循環ポンプｐ１の回転速度が５６００ｒｐｍ未満の場合、流量７リットル／分以上であり流量が多いため、循環調整弁４は熱交換器２に向かう開度（第１開度）が１００％でよいのでステップＳ５に移行する。
【００４２】
一方、循環ポンプｐ１の回転速度が指定回転速度以上の場合（ステップＳ２でＹｅｓ）循環ポンプｐ１の回転速度が高い、すなわち流量が少なく追い焚き湯温が６０℃を超えるおそれがあるので、ステップＳ３において、循環調整弁４をバイパス管ｋ３側への開度（第２開度）を大きくするように制御し、追い焚き湯温を上昇させないように制御する。
【００４３】
続いて、ステップＳ４で、循環ポンプｐ１の回転速度が指定回転速度以下になったか否かを判定する。
循環ポンプｐ１の回転速度が指定回転速度を超える場合（ステップＳ４でＮｏ）、流量が比較的少ないので、ステップＳ３において、循環調整弁４をバイパス管ｋ３側への開度を大きくするように制御し、追い焚き湯温を上昇させないように制御する。
【００４４】
一方、循環ポンプｐ１の回転速度が指定回転速度以下の場合（ステップＳ４でＹｅｓ）、流量が大きいので、ステップＳ５において、循環調整弁４を熱交換器２に向かう側への開度（第１開度）をより大きくするように制御する。
続いて、ステップＳ６で、浴槽３のふろ温度センサｓ１で検知される湯温が、利用者が設定した追い焚き温度になったか否か判定する。
【００４５】
浴槽３の湯温が設定した追い焚き温度になっていない場合（ステップＳ６でＮｏ）、設定した追い焚き温度まで追い焚きを行う必要があるので、ステップＳ１に移行する。
一方、浴槽３の湯温が設定した追い焚き温度になっている場合（ステップＳ６でＹｅｓ）、追い焚きを終了する。
以上が、追い焚きモードの制御の一例である。
なお、図４に示す制御フローは一例であり、他の方法を用いて制御してもよい。
【００４６】
＜追い焚き温度センサ無しの追い焚き制御の検証＞
図４に示す追い焚き制御を用いて、制御した結果を図５に示す。
図５は、追い焚き温度センサを用いない追い焚き制御の実証結果を示すグラフである。図５の横軸は時間（秒）、図５の左縦軸は温度、図５の右縦軸は循環ポンプｐ１の回転速度（ｒｐｍ）である。
【００４７】
ｉ１はふろ流量（ふろ戻し管ｋ１の流量）を示し、ｉ２は循環調整弁４で熱交換器２に向かう追い焚き配管ｋ２側への開度（第１開度）を示し、ｉ３はふろ戻り温度、すなわちふろ温度センサｓ１で検出した温度を示す。
ｉ４は浴槽出口３ｏから５ｃｍの湯温を示し、ｉ５は循環ポンプｐ１の回転速度を示し、ｉ６は浴槽出口３ｏから０ｃｍの湯温を示す。
【００４８】
ｉ７はふろ往き管ｋ９の湯温のふろ往き温度を示し、ｉ８は熱交換器２の出口２ｏ（図１参照）の湯温を示し、ｉ９は貯湯タンク１の７５リットルの温水の第２温度センサ１ｓ２で検出した温度を示し、ｉ１０は貯湯タンク１の最頂部の８０リットルの温水の第１温度センサ１ｓ１で検出した温度を示す。
図５の実験例は、循環ポンプｐ１の負荷であるふろ流量ｉ１を、実験者が意図的に変えて行ったものである。
【００４９】
図５から、貯湯タンク１の最頂部の温度ｉ１０は、８７℃前後で一定であり、貯湯タンク１の７５リットルの温水の温度ｉ９は、経過時間１００秒から７００秒で約８３℃から約７６℃まで低下した。
ふろ戻し管ｋ１（図１参照）を流れるふろ流量ｉ１が低下すると、追い焚き温度が高くなる。そのため、循環調整弁４の開度を追い焚き用の熱交換器２の側からバイパス管ｋ３の側へ動かすことで、追い焚き温度を下げることができる。
つまり、循環調整弁４の浴槽３に向かうバイパス管ｋ３側への開度（第２開度）を大きくすることで、追い焚き温度を下げることができる。
【００５０】
経過時間１００秒から７００秒において、循環調整弁４の開度を、熱交換器２の側（第１開度）１００％から７０％に変化させ、バイパス管ｋ３の側へ動かすことで、経過時間約４００秒時に約６５°に上昇した追い焚き温度の浴槽出口３ｏから０ｃｍの湯温ｉ６が、経過時間７００秒で約５７°に低下することが確認された。
ふろ戻し管ｋ１を流れる湯のふろ流量ｉ１を８リットル／分から２リットル／分に変化させることで、循環ポンプｐ１の回転速度ｉ５が、約５６００ｒｐｍから約６３００ｒｐｍまで上昇した。
この間、追い焚きの結果、ふろ温度センサｓ１で検出したふろ戻り温度ｉ３は約４２℃から約４６℃まで上昇し、追い焚きが行われたことが確認できる。
【００５１】
以上、まとめると、図２、図３は、循環ポンプｐ１の回転速度とふろ戻し管ｋ１の流量との関係の「ポンプ単体の特性」を調べるためポンプ吸込み側に例えば不図示の流量調整弁を配置して、段階的に流量を変更したものである。
図５は、循環ポンプｐ１の吸込み側に例えば不図示の流量調整弁を用意して、貯湯式給湯機Ｋのシステム全体として、図４に示す制御フローで、追い焚き湯の温度が６０℃を超える出湯がなされないか否かを調べたものである。
図５により、最終的に浴槽出口３ｏの箇所での湯温i６が所定温度の６０度以下に制御できることが確認できた。
【００５２】
＜追い焚き温度センサを廃止した場合の追い焚き熱量算出式＞
熱交換器２の出口側にある追い焚き温度センサ（図１０の追い焚き温度センサｓ１２）を廃止するためにはその代替機能を実現する必要がある。
追い焚き温度センサの機能として、追い焚き出口温度が所定温度以下、例えば６０℃以下になるように循環調整弁４を制御することと、使用湯量換算表示のための追い焚き熱量を算出することとがある。
循環調整弁４を追い焚き温度センサ無しに制御することについては、前記したように可能である。
【００５３】
貯湯式給湯機Ｋは、追い焚き熱量を算出して使用湯量を制御部で表示する機能をもつ。
使用湯量は下式を用いて追い焚き熱量から求められる。
使用湯量＝追い焚き熱量÷（所定の温度−給水温度）
上式を用いて追い焚き時の使用湯量が求められる。
また、求めた追い焚き熱量に、他の給湯熱量、風呂湯張り熱量を加算して、所定の湯温の使用湯量を求めることができる。
そして、風呂リモコンまたは台所リモコンに、所定の湯温、例えば、４２℃の湯温に換算した湯の使用量を表示する。
【００５４】
上式の所定の温度は変更可能であり、利用者の追い焚きの設定温度である。給水温度とは、温度センサｓ１（図１参照）で検出した浴槽３の湯の温度である。
従来、追い焚き熱量は、追い焚き温度センサの検出温度を用いて求めていた。そこで、追い焚き温度センサを廃止した場合、使用湯量を表示するために追い焚き熱量を求めることが必要になる。
貯湯式給湯機Ｋでの追い焚き熱量の求め方は下記である。
【００５５】
＜使用湯量換算表示での追い焚き温度センサの役割＞
追い焚き温度センサが検出する追い焚き温度は、追い焚きに使用した熱量の算出に使用している。
追い焚き熱量の算出式は次式（１）で表される。
追い焚き熱量＝Σ｛（追い焚き温度−ふろ温度）×循環流量０．１５（リットル／秒）（＝９（リットル／分））×循環調整弁４の開度（％）／１００｝      （１）
従来、式（１）の追い焚き温度の値に追い焚き温度センサの検知温度を使用している。
【００５６】
＜追い焚き温度センサの代替仕様＞
追い焚き温度センサの代替仕様として、追い焚き温度は、熱交換器２の特性と貯湯タンク１の温度、ふろ温度の式（２）の関数で算出される。
追い焚き温度＝ｆ（貯湯タンク１の温度、ふろ温度）            （２）
【００５７】
＜追い焚き温度の算出方法＞
貯湯タンク１の温水の温度が８５℃、７５℃、６５℃、５５℃のとき、ふろの温度に対する追い焚き温度を測定した結果を図６に示す。追い焚き温度は、従来の追い焚き温度センサｓ１２が設置されていた箇所とする（図１０参照）。
【００５８】
貯湯タンク１の温水の温度（Ｔｈ）は、熱交換器２近くの７５リットルの温水の温度を測る第２温度センサ１ｓ２の検出温度Ｔｈ１と、貯湯タンク１の最頂部の温水の温度を測る第１温度センサ１ｓ１の検出温度Ｔｈ０との平均値とし、次式（３）とする。
Ｔｈ＝（Ｔｈ０＋Ｔｈ１）／２            （３）
【００５９】
図６より、貯湯タンク１の温水の温度に応じて、ふろの温度に対する追い焚き温度は次式の通りに表される。
貯湯タンク１の温水の温度が８５℃では、
追い焚き温度ｙ＝（ａ４×ｘ（ふろの温度））＋ｂ４
貯湯タンク１の温水の温度が７５℃では、
追い焚き温度ｙ＝（ａ３×ｘ（ふろの温度））＋ｂ３
貯湯タンク１の温水の温度が６５℃では、
追い焚き温度ｙ＝（ａ２×ｘ（ふろの温度））＋ｂ２
貯湯タンク１の温水の温度が５５℃では、
追い焚き温度ｙ＝（ａ１×ｘ（ふろの温度））＋ｂ１
【００６０】
図６より、ふろの温度に対する追い焚き温度の特性式は、貯湯タンク１の温水の温度によって傾きは変わらないが、貯湯タンク１の温水の温度によって、切片が異なる。従って、次式（４）で表すことができる。
追い焚き温度ｙ＝（ａ９×ふろの温度）＋ｆ（貯湯タンク１の温度）      （４）
ただし、式（４）において、傾きａ９は貯湯タンク１の温水の各温度でのａ４〜ａ１の平均値を採用した。
【００６１】
貯湯タンク１の温水の各温度と切片ｙ０（＝ｆ（貯湯タンク１の温度））の関係をグラフにすると、図７で表せ、式（５）で表される。
切片ｙ０（＝ｆ（貯湯タンク１の温度））
＝（ａ０×ｘ（貯湯タンク１の温度））−ｂ０                  （５）
式（４）に式（５）を代入すると追い焚き温度は式（６）で表される。
追い焚き温度＝（ａ９×ふろの温度）＋（ａ０×貯湯タンク１の温度）−ｂ０    （６）
【００６２】
追い焚き温度センサの検知温度の代わりに、式（６）により追い焚き温度を求め、追い焚き熱量を算出する。
式（１）に式（４）を代入すると、追い焚き熱量の算出は次式（７）で表される。
追い焚き熱量＝Σ｛（追い焚き温度−ふろ温度）×循環流量０．１５（リットル／秒）×循環調整弁４の開度（％）／１００｝
＝Σ｛［（ａ９×ふろの温度）＋（ａ０×貯湯タンク１の温度）−ｂ０］−ふろの温度）×循環流量０．１５（リットル／秒）×循環調整弁４の開度（％）／１００｝  （７）
【００６３】
＜追い焚き熱量の算出＞
図８は、比較例の追い焚き温度センサがある場合の追い焚き運転時の各部の温度と循環調整弁の弁開度を示す図である。横軸は時間（秒）を示し、左縦軸は温度（℃）を示す。
ｊ１は貯湯タンク１０１の熱交換器１０２近くの温水の温度を示し、ｊ２は追い焚き温度センサｓ１２（図１０参照）での追い焚き検出温度を示し、ｊ３は循環調整弁１０４の弁開度を示す。ｊ４はふろ往き管ｈｋ９の追い焚き後の湯の温度を示し、ｊ５は熱交換器１０２の入口１０２ｉでの湯の温度を示す。
【００６４】
図８より、追い焚き開始時の約４０秒の間は、追い焚き検出温度ｊ２が貯湯タンク１０１の熱交換器１０２近くの温水の温度ｊ１に近い時間が長く、約４０秒以後は、設定温度の６０℃以下に制御されることが分る。これは、追い焚き開始時には熱交換器１０２内に高温の滞留水（高温の湯）があり、約４０秒をかけて熱交換器１０２内部から排出されるものと考えられる。
【００６５】
比較例の図８では、循環調整弁１０４は、追い焚き開始後の約４０秒は中間位置（熱交換器１０２側への開度５０％）であり、約６０秒で全開位置（熱交換器１０２側への開度１００％）とし、約６０秒以後は追い焚き後の湯の温度ｊ４が６０℃以下である。そのため、約４０秒以後、循環調整弁１０４は全開位置（熱交換器１０２側への開度１００％）を継続する。
【００６６】
そこで、本貯湯式給湯機Ｋでは、追い焚き開始後の約６０秒は、図８の循環調整弁１０４の制御に応じて、循環調整弁４を熱交換器２側への開度５０％から熱交換器２側への開度１００％に段階的に動かす制御に変更する。
追い焚き開始後の約６０秒以後は循環調整弁４を熱交換器２側への開度１００％とした状態から、図４に示す制御で循環調整弁４を制御する。
【００６７】
＜算出した追い焚き温度による追い焚き熱量の算出＞
次に、算出した追い焚き温度による追い焚き熱量の算出について説明する。
（１）．追い焚き開始時の約４０秒間の熱交換器２からの高温滞留水排出時には、図８の過程を参考に、以下の方法で追い焚き熱量を算出する。
循環調整弁４の熱交換器２側への開度５０％である。
追い焚き温度としては、貯湯タンク１内の７５リットルの温水の温度を測る第２温度センサ１ｓ２の検出温度を用いる。
【００６８】
・循環ポンプｐ１のDuty指令値１００％の場合の追い焚き熱量Ｑ１は、下式（８）で求める。
追い焚き熱量Ｑ１＝Σ｛（追い焚き温度−ふろ温度）×循環流量０．１５（リットル／秒）×循環調整弁４の開度（％）／１００｝
＝Σ｛（貯湯タンク１内の７５リットル部温度−ふろ温度）×循環流量０．１５（リットル／秒）×循環調整弁４の開度（％）／１００｝    （８）
【００６９】
・循環ポンプｐ１のDuty指令値７３％の場合の追い焚き熱量Ｑ２は、下式（９）で求められる。
追い焚き熱量Ｑ２＝Σ｛（追い焚き温度−ふろ温度）×循環流量０．１３（リットル／秒）×循環調整弁４の開度（％）／１００｝
＝Σ｛（貯湯タンク１内の７５リットル部温度−ふろ温度）×循環流量０．１３（リットル／秒）×循環調整弁４の開度（％）／１００｝    （９）
【００７０】
（２）．熱交換器２からの高温滞留水排出後（追い焚き開始時から約４０秒後）には以下の方法で追い焚き熱量を算出する。
追い焚き温度として、式（７）を用いる。
・循環ポンプｐ１のDuty指令値１００％の場合の追い焚き熱量Ｑ３は、下式（１０）で求められる。
追い焚き熱量Ｑ３＝Σ｛（追い焚き温度−ふろ温度）×循環流量０．１５（リットル／秒）×循環調整弁４の開度（％）／１００｝
＝Σ｛［（ａ９×ふろの温度）＋（ａ０×貯湯タンク１の温度）−ｂ０］−ふろの温度）×循環流量０．１５（リットル／秒）×循環調整弁４の開度（％）／１００｝    （１０）  
【００７１】
・循環ポンプｐ１のDuty指令値７３％の場合の追い焚き熱量Ｑ４は、下式（１１）で求められる。
追い焚き熱量Ｑ４＝Σ｛（追い焚き温度−ふろ温度）×循環流量０．１３（リットル／秒）×循環調整弁４の開度（％）／１００｝
＝Σ｛［（ａ９×ふろの温度）＋（ａ０×貯湯タンク１の温度）−ｂ０］−ふろの温度）×循環流量０．１３（リットル／秒）×循環調整弁４の開度（％）／１００｝    （１１）  
以上から、追い焚き開始後のDuty指令値１００％の追い焚き熱量Ｑ１、Ｑ３とDuty指令値７３％の場合の追い焚き熱量Ｑ２、Ｑ４とが算出された。
【００７２】
上記構成によれば、循環ポンプｐ１の回転速度と循環流量との関係が求められる。これにより、制御部は、循環ポンプｐ１の回転速度の情報と貯湯タンク１の温水の温度（Ｔｈ）情報を基に循環調整弁４の熱交換器２側への第１開度と、バイパス管ｋ３側への第２開度とを制御することで、ふろ往き管ｋ９から浴槽３に供給する湯が所定値以下、例えば約６０℃以下の温度になるように制御できる。そのため、追い焚き温度センサが不要になる。
【００７３】
また、制御部は、循環ポンプｐ１の回転速度が第１の所定回転速度より高い場合には、循環調整弁４を熱交換器２側への第１開度よりバイパス管ｋ３側への第２開度を大きく制御し、循環ポンプｐ１の回転速度が第１の所定回転速度より低い場合には、循環調整弁４をバイパス管ｋ３側への第２開度より熱交換器２側への第１開度を大きく制御する。これにより、循環流量の大小に係らず、ふろ往き管ｋ９から浴槽３に供給する湯が所定値以下にできる。
【００７４】
また、貯湯タンク１の温水の温度が第１の所定温度より低い場合、制御部は、循環調整弁４をバイパス管ｋ３側への第２開度より熱交換器２側への第１開度を大きく制御する。これにより、ふろ往き管ｋ９から浴槽３に供給する湯が所定値以下に保ちつつ、迅速に追い焚きできる。
【００７５】
また、制御部は、追い焚き温度センサの検出温度を用いることなく、温水の温度と浴槽の湯の温度とを用いて式（７）等を用いて、追い焚き熱量を算出できる。
また、循環ポンプｐ１を駆動するモータをＤＣモータとすることで、回転速度と流量との関係が明確にできる。
【００７６】
また、制御部は、予め図２、図３等の循環ポンプｐ１の回転速度とふろ戻り管ｋ１の流量との関係の情報を記憶部に有し、当該関係の情報を基に、循環ポンプｐ１の回転速度からふろ戻り管ｋ１の流量を推測できる。
【００７７】
また、制御部は、表１のような、循環ポンプｐ１の回転速度の情報と貯湯タンク１の温水の温度情報とが予め格納されているので、ふろ往き管ｋ９から浴槽３に供給する湯を所定値以下の温度、例えば６０℃以下になるように制御できる。
【００７８】
以上のことから、追い焚き温度センサを用いることなく追い焚き機能を実現できるとともに、追い焚き熱量を算出できる貯湯式給湯機Ｋを得られる。
【００７９】
＜変形例＞
前記実施形態では、図２、図３に示すように、循環ポンプｐ１の回転速度と、ふろ戻し管ｋ１の流量との関係を求めて追い焚きされた湯の温度を推測し、循環調整弁４の熱交換器２側の開度（第１開度）を予め求め（表１参照）、追い焚きセンサを設けない構成とした。
【００８０】
変形例では、循環ポンプｐ１が設けられるふろ戻し管ｋ１に流量センサｒ１（図１参照）を設置してふろ戻し管ｋ１の流量を検出し、追い焚きセンサを設けない構成としたものである。
次に、変形例の追い焚きの制御について説明する。
図９に、変形例の追い焚き温度センサに代替して流量センサを設けた場合の追い焚きを行う制御フローを示す。
【００８１】
図９のステップＳ１１で、貯湯タンク１の温水の温度が指定温度（第１の所定温度）以上か否か判定する。指定温度の情報は、制御部のＲＯＭに予め記憶されている。
貯湯タンク１の温水の温度が指定温度未満の場合（ステップＳ１１でＮｏ）貯湯タンク１の温水の温度が低いので追い焚き温度が所定温度、例えば６０℃を超えるおそれがないので、ステップＳ１５に移行する。
【００８２】
一方、貯湯タンク１の温水の温度が指定温度以上の場合（ステップＳ１１でＹｅｓ）、貯湯タンク１の温水の温度が高いので、ステップＳ１２で、流量センサｒ１で検出したふろ戻し管ｋ１の流量が指定流量以下か否か判定する。ステップＳ１２、Ｓ１４の指定流量の情報は、制御部のＲＯＭに予め記憶されている。
【００８３】
ふろ戻し管ｋ１の流量が指定流量を超える場合（ステップＳ１２でＮｏ）、流量が多いので追い焚き温度が所定温度、例えば６０℃を超えるおそれがないので、ステップＳ１５に移行する。
【００８４】
一方、ふろ戻し管ｋ１の流量が指定流量以下の場合（ステップＳ１２でＹｅｓ）流量が少なく追い焚き湯温が所定温度、例えば６０℃を超えるおそれがあるので、ステップＳ１３において、循環調整弁４をバイパス管ｋ３側への開度（第２開度）を大きくするように制御し、追い焚き湯の温度を上昇させないようにする。
【００８５】
続いて、ステップＳ１４でふろ戻し管ｋ１の流量が指定流量以上になったか否かを判定する。
ふろ戻し管ｋ１の流量が指定流量未満の場合（ステップＳ１４でＮｏ）、流量が比較的少ないので、ステップＳ１３において、循環調整弁４をバイパス管ｋ３側への開度を大きくするように制御し、追い焚き湯温を上昇させないように制御する。
【００８６】
一方、ふろ戻し管ｋ１の流量が指定流量以上の場合（ステップＳ１４でＹｅｓ）、流量が大きいので、ステップＳ１５において、循環調整弁４を熱交換器２に向かう側への開度（第１開度）を大きくするように制御する。
続いて、ステップＳ１６で、浴槽３のふろ温度センサｓ１で検知される湯温が、利用者が設定した追い焚き温度になったか否か判定する。
【００８７】
浴槽３の湯温が設定した追い焚き温度になっていない場合（ステップＳ１６でＮｏ）、設定した追い焚き温度まで追い焚きを行う必要があるので、ステップＳ１１に移行する。
一方、浴槽３の湯温が設定した追い焚き温度になっている場合（ステップＳ１６でＹｅｓ）、追い焚きを終了する。
以上が、変形例のふろ戻し管ｋ１の流量を流量センサｒ１により検出する場合の追い焚きモードの制御の一例である。
【００８８】
上記変形例によれば、追い焚き温度センサを設けることなく、追い焚きモードを行える。
【００８９】
＜＜その他の実施形態＞＞
１．前記実施形態では、循環ポンプｐ１を駆動するモータとしてＤＣモータを例示して説明したが、ＡＣモータを用いてもよい。
【００９０】
２．前記実施形態では、様々な構成を説明したが、各構成を適宜組み合わせて構成してもよい。
【００９１】
３．前記実施形態で説明した構成は、本発明の一例を示したものであり、特許請求の範囲内で様々な具体的形態、変形形態が可能である。
【符号の説明】
【００９２】
１      貯湯タンク
２      熱交換器
３      浴槽
４      循環調整弁
１ｓ１  第１温度センサ（第１の温度センサ）
１ｓ２  第２温度センサ（第１の温度センサ）
Ｋ      貯湯式給湯機
ｋ１    ふろ戻し管（第１の配管）
ｋ２    追い焚き配管（第２の配管）
ｋ３    バイパス管
ｋ９    ふろ往き管（第３の配管）
ｐ１    循環ポンプ（ポンプ）
Ｑ１、Ｑ２、Ｑ３、Ｑ４  追い焚き熱量（追い焚きの熱量）
ｒ１    流量センサ
【図１】
0006454655.tif 000003
【図２】
0006454655.tif 000004
【図３】
0006454655.tif 000005
【図４】
0006454655.tif 000006
【図５】
0006454655.tif 000007
【図６】
0006454655.tif 000008
【図７】
0006454655.tif 000009
【図８】
0006454655.tif 000010
【図９】
0006454655.tif 000011
【図１０】
0006454655.tif 000012